(57)【要約】【課題】注射針の刃面と補助グリップの指掛部等との位置合わせを容易にし、注射中に本体グリップから補助グリップが不用意に外れるのを防ぐ。【解決手段】本体グリップ４より大きい矩形状のフランジ部材１１，１２の外周縁部を結合部材１３で結合して本体グリップ４のフランジ４ｂを挿入する装着溝１５が形成され、本体グリップ４の円筒状部４ａに嵌合する円筒状部材１４がフランジ部材１１に結合されている。フランジ部材１１，１２の装着穴１１ｂ、貫通穴１２ｂと円筒状部材１４の軸穴１４ａと装着溝１５をフランジ部材１１，１２の短径方向の一側に開放部１１ｃ，１２ｃ，１４ｂ，１５ａで開口し、これらの開放部を通して本体グリップ４に装着した補助グリップ１０は、円筒状部材１４の開放部１４ｂの突縁で形成した係止部１６で抜け止めされ、結合部材１３の内側面１３ｂで本体グリップ４に対する回転が所定範囲θに規制される。【選択図】　　　　図１
2004097277.tif 000002
【特許請求の範囲】
【請求項１】
シリンダの後端部に該シリンダの直径と略等しい最大幅を有してシリンダの直径方向の両側に突出して設けられた方向性を有する本体グリップを備えた容器兼用注射器に装着して使用する補助グリップであって、
外形が指掛部となる部分を前記本体グリップの長さより大きい長径とし、前記指掛部に直角な方向を前記本体グリップの幅より大きい短径とした矩形状に形成された平板状の一対のフランジ部材と、一方のフランジ部材の中心部に設けた前記シリンダを挿通する装着穴と、他方のフランジ部材の中心部に設けられ前記シリンダに挿入されるプランジャーロッドの直径より大径で前記本体グリップの長さより小径の貫通穴と、一方のフランジ部材の後面と他方のフランジ部材の前面を対向させた状態でそれらの周縁部を結合して、一対のフランジ部材間に前記本体グリップを挿入する装着溝を形成する結合部材と、前記一方のフランジ部材の前面に結合され前記装着穴と同心にした軸穴を介して前記シリンダに嵌合される円筒状部材と、前記フランジ部材と結合部材と円筒状部材に設けられて前記装着穴と貫通穴と装着溝と軸穴をフランジ部材の短径方向の一側に開口させ、前記フランジ部材と円筒状部材の本体グリップへの着脱を許容する開放部と、該開放部を経て前記フランジ部材と円筒状部材が本体グリップから離脱するのを防止する係止部とを備えた補助グリップにおいて、
前記結合部材が、前記本体グリップに装着した補助グリップをシリンダの軸周りに本体グリップに対し相対回転したとき、前記装着溝の開放部側と反対側において前記本体グリップの両外周側における側端部に当接して、前記開放部と本体グリップの位置が合わないように本体グリップと補助グリップとの相対回転範囲を規制する構成とされたことを特徴とする容器兼用注射器の補助グリップ。
【請求項２】
前記フランジ部材と結合部材と円筒状部材は合成樹脂材料からなり、前記係止部は、前記装着穴と軸穴の開放部の開口寸法を前記シリンダの直径寸法より所定寸法だけ小さくすることによって、前記一方のフランジ部材と円筒状部材に、該円筒状部材の軸方向に沿いかつ開放部の両側から対向方向に円弧状に突出して形成される突縁であることを特徴とする請求項１に記載の容器兼用注射器の補助グリップ。
【請求項３】
前記フランジ部材が外形を四隅部を丸く切欠いた矩形に形成され、前記装着溝が、前記フランジ部材の外周縁に沿ってコ字状に配置された結合部材によって、前記本体グリップの長さより僅かに大きな長辺を有し、幅が本体グリップの最大幅より十分大きな短辺を有した矩形状に形成され、その開放部側が前記長辺の長さと略等しい間隔で開口されていることを特徴とする請求項１または２に記載の容器兼用注射器の補助グリップ。
【請求項４】
前記装着溝に、前記シリンダの外周に接合された基端側をシリンダの直径と略等しい幅とし両先端側を基端側より幅狭に形成された前記本体グリップが挿入される構成としたことを特徴とする請求項３に記載の容器兼用注射器の補助グリップ。
【発明の詳細な説明】
【０００１】
【発明の属する技術分野】
本発明は、薬液を予め充填、保管しておき使用時に包装から取り出して直ぐに使用する容器兼用注射器において、使用時に容器兼用注射器のシリンダの後端部に設けた指掛用の本体グリップに装着して使用する補助グリップに関するものである。
【０００２】
【従来の技術】
前記容器兼用注射器は、病医院内において煩雑な操作をすることなく、包装から取り出して直ぐに使用できるので、利便性に優れ、医師や看護婦の作業の軽減に大変に役立ち、このため、多くの病医院で採用されるようになって来ている。
従来の容器兼用注射器は、ガラス製の円筒状のシリンダの先端部と後端部に、注射針を取り付ける筒先部とフィンガーグリップ（本体グリップ）とを、それぞれ、合成樹脂で作製して嵌着することにより、前記シリンダの素材であるガラスの医薬品に対する安全性を最大限に利用すると共に、その弱点であるガラスの破損のし易さを、前記シリンダの両端部の弾力性を有する合成樹脂製の部品（筒先、本体グリップ）で補っている。
【０００３】
特に、本体グリップは、容器兼用注射器の滅菌、薬液充填、組立、包装等の作業の際、ガラス製シリンダの端面を破損から守りながら整列や機械での搬送、位置決め等の工程に重要な役割を果たしている。しかし、それらの工程の中で容器兼用注射器のハンドリングに必要なスペース、作業の安定性、包装の大きさ等の点を考慮して、本体グリップは、その形状や寸法を限られた範囲のものに定められ、特に寸法はあまり大きくできない制限がある。
容器兼用注射器のシリンダに設けた前記本体グリップの大きさが小さいと、該容器兼用注射器を使用する際、使用者の指が本体グリップに十分に引っ掛けることができず、安定した状態で容器兼用注射器を支持して注射することができないおそれがあるので、使用時に、シリンダに設けた本体グリップに対し、別に用意した本体グリップより大きな補助グリップを装着して注射することが提案され、そのような補助グリップが、例えば、特許第２８１４９８３号公報により知られている。
【０００４】
前記公報に記載されている補助グリップは、外形が指掛部となる部分を長径とし、該指掛部に直角な方向の部分を短径とした多角形状の方向性を有する形状に形成された一対のプレートが、前記本体グリップ（フランジ）の厚さより僅かに大きな間隔をあけ、短径方向の一方側に前記本体グリップを挿通可能な開口部を設けて外周縁部で結合されると共に、前記各プレートの中心部に前記シリンダを嵌合する嵌着穴と注射用のプランジャーロッドを挿通可能な挿通穴とをそれぞれ設け、さらに、それらの穴が前記開口部と同方向側の側方を所定幅の開口部によって開放された構造を有している。そして、前記シリンダの側方（シリンダの直径方向）から前記開口部を通して、前記プレート間に本体グリップを挿入し、かつ前記嵌着穴に前記シリンダを嵌合させることによって、容器兼用注射器のシリンダと一体に形成された本体グリップに装着して使用するものとなっている。
【０００５】
【特許文献１】
特許第２８１４９８３号公報
【０００６】
【発明が解決しようとする課題】
一般に、病医院では、医師や看護婦が注射をする際、容器兼用注射器の筒先に取り付けた注射針の刃先を確認して、その刃面を上に向けた位置で注射をしているが、そのときには、フィンガーグリップ（補助グリップ）の指掛部の位置が注射のし易い都合の良い位置になっていなければならない。
しかしながら、前記のように補助グリップが方向性を有する形状に形成されていると、補助グリップを容器兼用注射器のシリンダの本体グリップに無造作に装着した場合、補助グリップの指掛部の位置が、注射針の刃面を上に向けた状態で注射に都合の良い位置になるとは限らない。
【０００７】
このため、医師や看護婦は、容器兼用注射器に従来の補助グリップを使用して注射をする際には、常に、注射針の刃面位置を確認して、その位置に指掛部もしくは指掛部に直角な方向の部分の位置が合うようにして補助グリップを本体グリップに装着するか、もしくは補助グリップを本体グリップに装着後軸回りに回転させ、指掛部やその直角な方向の部分の位置を注射針の刃面位置に合わせる操作をしなければならない。
その位置合わせの際、前記本体グリップがシリンダの直径に略等しい幅で該シリンダの直径方向の両側に突出したフランジからなる方向性を有する形式のものであると、本体グリップのフランジの位置もしくはそれに近い位置に、前記補助グリップの開口部の位置が一致した場合、本体グリップのフランジに対する補助グリップの引っ掛かりの部分が片側の指掛部に限られるので、注射時に、前記シリンダの軸方向に作用する指の押圧力によって、補助グリップが揺れ動いたり、本体グリップから外れたりして、注射を円滑、適切に行えないおそれがある。一方、補助グリップにリブを設けて、補助グリップを本体グリップに装着したとき、前記リブがフランジの側端部に当接して補助グリップが本体グリップに対して遊び回転を防ぐようにしたものもあるが、これでは、本体グリップのフランジと補助グリップの開口部との位置が合わせられることはないものの、前述のように、注射針の刃面位置との関係で注射のし易い位置に補助グリップの指掛部を合わせることができない問題がある。
【０００８】
本発明は、上記事情に鑑みてなされたものであって、容器兼用注射器の使用時に、注射針の刃面と補助グリップの指掛部等との位置合わせ作業が容易であり、注射中に本体グリップから補助グリップが不用意に外れるおそれがなく、フィンガーグリップの指掛部の指保持性が確保されて、注射を適切、円滑に行える容器兼用注射器の補助グリップを提供することを目的とする。
【０００９】
【課題を解決するための手段】
本発明は、前記課題を解決するために、以下の点を特徴としている。
すなわち、請求項１に係る容器兼用注射器の補助グリップは、シリンダの後端部に該シリンダの直径と略等しい最大幅を有してシリンダの直径方向の両側に突出して設けられた方向性を有する本体グリップを備えた容器兼用注射器に装着して使用する補助グリップであって、外形が指掛部となる部分を前記本体グリップの長さより大きい長径とし、前記指掛部に直角な方向を前記本体グリップの幅より大きい短径とした矩形状に形成された平板状の一対のフランジ部材と、一方のフランジ部材の中心部に設けた前記シリンダを挿通する装着穴と、他方のフランジ部材の中心部に設けられ前記シリンダに挿入されるプランジャーロッドの直径より大径で前記本体グリップの長さより小径の貫通穴と、一方のフランジ部材の後面と他方のフランジ部材の前面を対向させた状態でそれらの周縁部を結合して、一対のフランジ部材間に前記本体グリップを挿入する装着溝を形成する結合部材と、前記一方のフランジ部材の前面に結合され前記装着穴と同心にした軸穴を介して前記シリンダに嵌合される円筒状部材と、前記フランジ部材と結合部材と円筒状部材に設けられて前記装着穴と貫通穴と装着溝と軸穴をフランジ部材の短径方向の一側に開口させ、前記フランジ部材と円筒状部材の本体グリップへの着脱を許容する開放部と、該開放部を経て前記フランジ部材と円筒状部材が本体グリップから離脱するのを防止する係止部とを備えた補助グリップにおいて、
前記結合部材が、前記本体グリップに装着した補助グリップをシリンダの軸周りに本体グリップに対し相対回転したとき、前記装着溝の開放部側と反対側において前記本体グリップの両外周側における側端部に当接して、前記開放部と本体グリップの位置が合わないように本体グリップと補助グリップとの相対回転範囲を規制する構成とされたことを特徴としている。
【００１０】
前記容器兼用注射器の補助グリップにおいては、使用直前に、補助グリップを、その装着溝の位置が本体グリップのシリンダの軸方向における位置に合う状態にして、フランジ部材と円筒状部材の開放部を通して横から本体グリップとシリンダに押し込んで装着すると、その装着状態が係止部を介して維持される。注射時には、容器兼用注射器の注射針の刃面を注射のし易い位置に向けたのに合わせて、補助グリップを前記本体グリップ（シリンダ）に対し回転させて、指掛けのし易い状態に調整する。その際、結合部材が本体グリップの外周側における側端部に当接することによって、前記フランジ部材と円筒状部材の開口部が本体グリップに合う位置まで相対回転することがないので、補助グリップが本体グリップから不用意に外れることが防止される。
補助グリップの本体グリップからの取り外し時は、補助グリップをシリンダに対して横方向の外側へ強い力で引き抜くことにより、補助グリップにシリンダの横方向への脱出力を作用させると、係止部が適度に弾性変形して前記開放部を開いて、本体グリップから補助グリップが脱出される。
【００１１】
請求項２に係る容器兼用注射器の補助グリップは、請求項１に記載の補助グリップにおいて、前記フランジ部材と結合部材と円筒状部材は合成樹脂材料からなり、前記係止部は、前記装着穴と軸穴の開放部の開口寸法を前記シリンダの直径寸法より所定寸法だけ小さくすることによって、前記一方のフランジ部材と円筒状部材に、該円筒状部材の軸方向に沿いかつ開放部の両側から対向方向に円弧状に突出して形成される突縁であることを特徴としている。
【００１２】
請求項３に係る容器兼用注射器の補助グリップは、請求項１または２に記載の補助グリップにおいて、前記フランジ部材が外形を四隅部を丸く切欠いた矩形に形成され、前記装着溝が、前記フランジ部材の外周縁に沿ってコ字状に配置された結合部材によって、前記本体グリップの長さより僅かに大きな長辺を有し、幅が本体グリップの最大幅より十分大きな短辺を有した矩形状に形成され、その開放部側が前記長辺の長さと略等しい間隔で開口されていることを特徴としている。
【００１３】
請求項４に係る容器兼用注射器の補助グリップは、請求項３に記載の補助グリップにおいて、前記装着溝に、前記シリンダの外周に接合された基端側をシリンダの直径と略等しい幅とし両先端側を基端側より幅狭に形成された前記本体グリップが挿入される構成としたことを特徴としている。
【００１４】
【発明の実施の形態】
以下、本発明の一実施の形態に係る容器兼用注射器の補助グリップについて添付図面を参照して説明する。
先ず、補助グリップを装着して使用する容器兼用注射器１は、図４、図５に示すように、ガラス製の円筒状のシリンダ２と、該シリンダ２の先端部に嵌着した筒先３と、シリンダ２の後端部に嵌着したフィンガーグリップ（本体グリップ）４と、シリンダ２の後端側からシリンダ２内に先端側を挿入されたプランジャーロッド５とを備えている。前記筒先３は、詳細は図示しないが、その先端部が直接接着方式、ルアー・チップ方式、ルアー・ロック方式による注射針の取付部となっており、キャップ７で保護されている。
【００１５】
また、前記シリンダ２内には、その先端側と後端側に挿入された一対のゴム製のストッパ６ａ，６ｂの間に薬液が充填され、前記プランジャーロッド５の先端部が後端側のストッパ６ｂにねじ込まれて連結されている。
前記本体グリップ４は、弾力があり高温による滅菌が可能な材質の合成樹脂からなり、円筒状部４ａの後端部にフランジ４ｂを一体に結合して構成され、前記円筒状部４ａがシリンダ２の後端に嵌着して設けられている。また、本体グリップ４は、そのシリンダ２への嵌着部に細いリブ等が設けられ、適度な摩擦の付与により嵌着力を高められていると共に、前記フランジ４ｂの中心穴部は、前記シリンダ２の内径より僅かに小さく形成されて、前記後端側のストッパがシリンダ２外へ抜け出るのを防止している。
【００１６】
また、前記本体グリップ４のフランジ４ｂは、図５に示すように、正面視で、前記円筒状部４ａ（シリンダ２）の直径方向の両側に延長して両端部を円筒状部４ａの中心を中心とする円弧に形成された長径部が指掛部４ｃ，４ｃとされ、該指掛部４ｃ，４ｃに直角な部分が前記円筒状部４ａに外接する円弧に形成された短径部である平滑面４ｄ，４ｄとされ、すなわち、前記フランジ４ｂは、前記円筒状部４ａに接合された基端側が円筒状部材４ａの幅に等しい最大幅を有し両先端側を徐々に幅狭として、外形が全体として楕円状または矩形状の方向性を有する形状に形成されている。
【００１７】
次に、容器兼用注射器１に装着して使用する一実施の形態に係る補助グリップ１０は、合成樹脂材料で作製され、図１〜図３に示すように、一対の平板状のフランジ部材１１，１２と、一方のフランジ部材１１の後面と他方のフランジ部材１２の前面を対向させ、それらの間に前記本体グリップ４のフランジ４ｂの厚さより僅かに大きい間隔をあけた状態で一対のフランジ部材１１，１２を結合する結合部材１３と、前記一方のフランジ部材１１の前面に結合され前記本体グリップ４の円筒状部４ａに嵌合される軸穴１４ａを有する円筒状部材１４とを備えている。
【００１８】
前記フランジ部材１１、１２は、図１に示すように、正面視で、外形が指掛部１１ａ，１２ａとなる部分を前記本体グリップ４のフランジ４ｂの長さより十分大きい長径とし、前記指掛部１１ａ，１２ａの方向に直角な方向を前記本体グリップ４の最大幅より十分大きい短径とし、四隅部を丸く切欠いた矩形に形成されており、一方のフランジ部材１１の中心部には前記円筒状部４ａを挿通する装着穴１１ｂが設けられ、他方のフランジ部材１２の中心部には前記プランジャーロッド５の直径より僅かに大きく、前記本体グリップ４のフランジ４ｂの長さより小さい直径の貫通穴１２ｂが設けられている。
また、前記フランジ部材１１，１２には、前記装着穴１１ｂと貫通穴１２ｂとをフランジ部材１１，１２の短径方向の一方側に開口する開放部１１ｃ，１２ｃが設けられている。一方のフランジ部材１１の開放部１１ｃは、前記装着穴１１ｂとの連絡部１１ｄ，１１ｄの間隔Ｅを該装着穴１１ｂの直径より所定寸法だけ小さくされ、外側に向かって徐々に広がる形状に形成され、前記他方のフランジ部材１２の開放部１２は、前記貫通穴１２ｂの直径と等しい間隔で平行に形成されている。
【００１９】
前記結合部材１３は、前記フランジ部材１１，１２の外周縁に沿って平面視でコ字状に配置され、その内側面１３ａ，１３ａ，１３ｂと一対のフランジ部材１１，１２の対向面との間に、前記本体グリップ４のフランジ４ｂを挿入する装着溝１５を、前記フランジ部材１１，１２の長径側（指掛部１１ａ，１１ａの方向）に長い矩形に形成している。
前記装着溝１５には、前記フランジ部材１１，１２の長径側の両端に位置する結合部材１３の両内側面１３ａ，１３ａ間の長辺と等しい間隔で、前記装着穴１１ｂ、貫通穴１２ｂの開放部１１ｃ，１２ｃと同じ方向（前記フランジ部材１１，１２の短径側に位置する内側面１３ｂと反対の方向）に開口した開放部１５ａが設けられている。前記装着溝１５の長辺の長さは前記本体グリップ４の指掛部４ｃ，４ｃの長さ（直径）より僅かに大きくされ、また、短辺側の装着溝１５の内側面１３ｂまでの奥行きは、前記本体グリップ４の円筒状部４ａの直径（平滑面４ｄ，４ｄ間距離）より十分大きな所定寸法に設定されている。
なお、前記装着溝１５の装着穴１１ｂ、貫通穴１２ｂの周辺部における間隔を、本体グリップ４のフランジ４ｂの厚さより僅かに小さくすることによって、本体グリップ４への装着時に補助グリップ１０の本体グリップ４に対する適度の回転抵抗を付与するようにしてもよい。
【００２０】
前記円筒状部材１４は、その軸穴１４ａを前記一方のフランジ部材１１の装着穴１１ｂに中心が一致した状態で連通させて該フランジ部材１１に結合されており、前記軸穴１４ａには、前記装着穴１１ｂ、貫通穴１２ｂ、装着溝１５の開放部１１ｃ，１２ｃ，１５ａの方向と同じ方向に開口し、円筒状部材１４の軸方向に沿う開放部１４ｂが設けられている。該開放部１４ｂの開口間隔は前記一方のフランジ部材１１の連絡部１１ｄ，１１ｄの間隔Ｅと同一に設定されて、本体グリップ４の円筒状部４ａの直径より所定寸法だけ小さくされている。
そして、前記装着穴１１ｂ、貫通穴１２ｂ、装着溝１５の開放部１１ｃ，１２ｃ，１５ａと前記軸穴１４ａの開放部１４ｂとを通してフランジ部材１１，１２と円筒状部材１４の本体グリップ４への着脱が許容されるようになっている。
【００２１】
また、前記連絡部１１ｄ，１１ｄと、前記円筒状部材１４の開放部１４ｂにおける円筒状部材１４の軸方向に沿いかつ円筒状部材１４の一部である一対の円弧状の突縁１４ｃ，１４ｃとが、前記開放部１４ｂを経て前記フランジ部材１１，１２と円筒状部材１４が本体グリップ４から離脱するのを防止する係止部１６となっている。
また、前記結合部材１３は、前記本体グリップ４に装着した補助グリップ１０を円筒状部４ａ（シリンダ２）の軸周りに本体グリップ４に対し相対回転したとき、前記装着溝１５の開放部１５ａ側と反対側において、前記フランジ部材１１，１２の短径側に位置する内側面１３ｂが前記本体グリップ４の両外周側における側端部に接点Ｐで当接して、円筒状部４ａの周方向における前記開放部１１ｃ，１２ｃ，１４ｂ，１５ａと本体グリップ４の指掛部４ｃ，４ｃの位置が合わないように、本体グリップ４と補助グリップ１０との相対回転範囲θを規制する構成とされている。
【００２２】
次に、前記実施の形態に係る容器兼用注射器の補助グリップ１０の作用について説明する。
前記補助グリップ１０においては、キャップ７を外して筒先３の取付部に注射針を取り付け、シリンダ２の後端にプランジャーロッド５を取り付けた容器兼用注射器１で注射をする際に、その注射の直前に補助グリップ１０を包装から取り出し、前記装着溝１５の位置を、容器兼用注射器１のシリンダ２の軸方向における本体グリップ４のフランジ４ｂの位置に合わせ、かつ装着溝１５の長辺方向を前記フランジ４ｂの長さ方向に合わせた状態にして、前記装着穴１１ｂ、貫通穴１２ｂ、軸穴１４ａ、装着溝１５の開放部１１ｃ，１２ｃ，１４ｂ，１５ａを通して横から図１、図３のイ矢方向に向けて補助グリップ１０を本体グリップ４に対してやや強めに押し込む。
この押し込み操作により、前記円筒状部材１４の開放部１４ｂが本体グリップ４の円筒状部４ａで弾力的に広げられることにより、装着穴１１ｂと軸穴１４ａへ本体グリップ４の円筒状部４ａが挿入され、前記装着溝１５にフランジ４ｂが挿入されると共に、貫通穴１２ｂにプランジャーロッド５が挿入され、補助グリップ１０が本体グリップ４へ装着された状態となる。この装着状態は、弾力的に復元して開放部１４ｂの開口間隔を狭めた前記円筒状部材１４の係止部１４ｃを介して確実に維持される。
【００２３】
そして、注射にあたり、容器兼用注射器１の注射針の刃面を注射のし易い位置に向けたのに合わせて、補助グリップ１０を前記本体グリップ４の円筒状部４ａ（シリンダ２）に相対回転させて、指掛けのし易い状態に調整する。
その際、補助グリップ１０は、前記結合部材１３の短径側の内周面１３ｂが本体グリップ４の外周側における側端部に接点Ｐで当接し、かつ開放部１１ｃ，１４ｂの係止部１４ｃで円筒状部４ａが支持されることによって、前記相対回転が所定の回転範囲θに規制され、注射時の通常の操作力では、前記フランジ部材１１，１２と円筒状部材１４の開放部１１ｃ，１２ｃ，１４ｂが、本体グリップ４に合う位置（前記開放部１１ｃ，１２ｃ，１４ｂと本体グリップ４のフランジ４ｂとの円筒状部４ａの周方向における位相が合う位置）まで相対回転することがないので、補助グリップ１０が本体グリップ４から不用意に外れることが防止される。
【００２４】
すなわち、補助グリップ１０を、本体グリップ４（シリンダ２）に対して回転させて本体グリップ４のフランジ４ｂを前記結合部材１３の内側面１３ｂに接点Ｐで当接させた後、更に注射時における通常の操作力より強い力で同方向に回転させるときには、回転力が前記接点Ｐを支点にして本体グリップ４を介して前記係止部１４ｃ，１４ｃをハ矢方向に弾性変形して押し開く力と本体グリップ４（シリンダ２）を二矢方向に移動させる脱出力となる。そして、本体グリップ４のフランジ４ｂが前記開放部１１ｃ，１２ｃ，１４ｂの位置に一致した回転状態に至るときには、前記押し開き力と脱出力により円筒状部４ａの直径部が円筒状部材１４の係止部１４ｃ，１４ｃから外れ、本体グリップ４のフランジ４ｂの片側の指掛部４ｃが前記装着溝１５から殆ど外れた状態となるため、このとき、補助グリップ１０に対し更にニ矢方向へ、もしくは円筒状部４ａの軸方向へ軽い力を加えるだけで簡単に本体グリップ４から補助グリップ１０を脱出されてしまうおそれがある。
しかし、注射時における通常の操作力で補助グリップ１０を本体グリップ４に対して回転するときには、前記押し開き力と脱出力に対抗する反力が前記係止部１４ｃ，１４ｃに作用し、この反力によって前記補助グリップ１０の回転が所定範囲θ内に制限され、本体グリップ４のフランジ４ｂが前記開放部１１ｃ，１２ｃ，１４ｂに一致する位置まで回転することはない。
【００２５】
前記回転範囲θは、図示の例では約６０°となっているが、前記本体グリップ４の寸法、形状に対する前記装着溝１５や開放部１１ｃ，１５ａの大きさ、形状を選択することによって、前記結合部材１３の内側面１３ｂの接点Ｐとフランジ４ｂの外周側における側端部との最大間隔（当接部間隔）を適切に調節し、４５°〜１００°に設定することができる。前記回転範囲をあまり小さくすると、前記のように容器兼用注射器１の注射針の刃面との関係で補助グリップ１０を指掛けのし易い状態に広い範囲にわたって回転調節することができず、また、回転範囲が大きすぎると、前記フランジ部材１１，１２と円筒状部材１４の開放部１１ｃ，１２ｃ，１４ｂが、本体グリップ４に合う位置に近づき、本体グリップ４の片側のフランジ４ｂが装着溝１５から殆ど脱出した状態（片側のフランジ４ｂとフランジ部材１１，１２との引っ掛かり部分が極めて少なくなった状態）となり、本体グリップ４から簡単に抜け出てしまうおそれがあるので好ましくない。
前記容器兼用注射器１による注射が終わって、補助グリップ１０を本体グリップ４から取り外す時は、装着時とは逆に補助グリップ１０を本体グリップ４（シリンダ２）に対して横方向外側（図１、図３のロ矢方向）へ強い力で引き抜いて行う。本体グリップ４から取り外した補助グリップは繰り返し使用することが可能である。
【００２６】
前記実施の形態の補助グリップ１０によれば、容器兼用注射器１の本体グリップ４の外側にシリンダ２の横方向からワンタッチで着脱して使用することができ、前記フランジ部材１１、１２によって十分な大きさの指掛部としての面積が得られると共に、フランジ部材１１，１２の外形が方向性を有する矩形に形成されているにも拘わらず、容器兼用注射器１の注射針の刃面を注射のし易い位置（上向き位置）に向けたときに、その位置に合わせて本体グリップ４に対し前記補助グリップ１０を回転して、前記フランジ部材１１，１２の指掛部１１ａ，１２ａを常に指掛けのし易い状態に調節することができる。
したがって、注射時の指保持性を確保できて注射を円滑に、かつ能率よく行うことができる。
【００２７】
また、補助グリップ１０は、本体グリップ４に装着した後は、フランジ部材１１，１２の結合部材１３が本体グリップ４の外周側における側端部に接点Ｐで当接し、かつ前記一方のフランジ部材１１と円筒状部材１４における装着穴１１ｂ、軸穴１４ａの開放部１１ｃ，１４ｂに形成された係止部１４ｃ，１４ｃで、本体グリップ４の円筒状部４ａが前記開放部１１ｃ、１４ｂから抜け出る力を適度に抑えることによって、本体グリップ４の外形が方向性を有する形状であっても、前記一方フランジ部材１１と円筒状部材１４の開口部１１ｃ、１４ｂが本体グリップ４のフランジ４ｂに合う位置まで補助グリップ１０が本体グリップ４に対して自由に回転することがないので、補助グリップ１０が本体グリップ４から不用意に外れるのを確実に防止することができる。
【００２８】
なお、前記補助グリップ１０は、合成樹脂材料に限らず他の材料で製作してもよいが、合成樹脂材料で製作すると、射出成形等によって一体物の成型品として容易に製作することができると共に、前記装着穴１１ｂと軸穴１４ａの開放部１１ｃ，１４ｂに形成された円弧状の突縁からなる係止部１４ｃが、補助グリップ１０の本体グリップ４への着脱時に、素材である合成樹脂材料の柔軟性によって拡縮にして前記着脱を容易に許容し、装着時には容器兼用注射器１の円筒状部４ａ（シリンダ２）に対する前記一方のフランジ部材１１と円筒状部材１４の嵌合状態を確実に維持することができる。
【００２９】
なお、前記実施の形態に係る容器兼用注射器の補助グリップ１０においては、円筒状部４ａにフランジを４ｂを設けた本体グリップ４を、前記円筒状部４ａを介してシリンダ２に嵌着してなる形式の容器兼用注射器１に装着して使用する補助グリップ１０について説明したが、本発明はこれに限らず、シリンダ２にその直径方向の両側に突出したフランジ４ｂを一体に形成してなる形式の容器兼用注射器に装着して使用することもできる。この場合には、前記実施の形態に係る補助グリップ１０の説明における本体グリップ４の円筒状部４ａがシリンダ２に対応するものとして把握すればよい。したがって、本願の請求項において、シリンダとは前記シリンダ２と円筒状部４ａの両者を含むものとしている。
また、前記補助グリップを外形が楕円状または矩形状の本体グリップに装着するものとして説明したが、本体グリップの外形は、前記形状に限らず、円形の対向部を平行に切除した形状、長径部と短径部を有する多角形状、その他の方向性を有する形状としたものであってもよい。
【００３０】
また、前記実施の形態に係る容器兼用注射器の補助グリップ１０においては、フランジ部材１１，１２の外形を四隅部を丸くした矩形に形成したので、指掛けを行う部分が角張らず滑らかであり、使用者が楽に指を掛けることができると共に、注射のため補助グリップ１０を本体グリップ４に装着して準備された容器兼用注射器１を一時的にテーブルや医療用具台に置いたときに、該容器兼用注射器１が不安定となって転がるのを防止することができる。
しかし、本発明においては、補助グリップ１０の外形は、前記形状に限らず、楕円状、長径部と短径部とを有する多角形状もしくはこれらに近い形状としてもよく、これらの方向性を有する形状をまとめて矩形状と呼ぶことができる。
【００３１】
【発明の効果】
以上説明したように、本発明によれば以下の優れた効果を奏する。
請求項１に係る容器兼用注射器の補助グリップによれば、本体グリップの外側に容器兼用注射器のシリンダの横方向からワンタッチで着脱して使用することができ、フランジ部材によって十分な大きさの指掛部としての面積が得られると共に、フランジ部材の外形が方向性を有する矩形状に形成されているにも拘わらず、容器兼用注射器の注射針の刃面を注射のし易い位置に向けたときに、その位置に合わせて補助グリップを本体グリップに対し回転して常に指掛けのし易い状態に容易に調整することができる。したがって、注射時の指保持性を確保できて注射を円滑、かつ能率的に行うことができる。
また、本体グリップの外形が方向性を有する形状であっても、フランジ部材の結合部材が本体グリップの外周側における側端部に当接し、かつ容器注射器のシリンダが係止部でフランジ部材と円筒状部材の開放部からの抜け出る力を抑えられることによって、前記フランジ部材と円筒状部材の開放部が本体グリップに合う位置まで補助グリップが本体グリップに対して自由に回転することがないので、補助グリップが本体グリップから不用意に外れるのを確実に防止することができる。
【００３２】
請求項２に係る容器兼用注射器の補助グリップによれば、一方のフランジ部材と円筒状部材の装着穴と軸穴の開放部に形成された円弧状の突縁からなる係止部が、補助グリップの本体グリップへの着脱時に、合成樹脂材料の弾力性によって拡縮にして前記着脱を容易に許容し、装着時には容器兼用注射器のシリンダに前記一方のフランジ部材と円筒状部材を嵌合状態で確実に維持することができる。
【００３３】
請求項３に係る容器兼用注射器の補助グリップによれば、フランジ部材間の装着溝が、結合部材によって矩形状に形成され、その開口部側が矩形長辺の長さで開放されているので、本体グリップをその方向を気にせずに前記装着穴に容易に挿入できると共に、前記本体グリップと結合部材との当接部間隔を大きくして、注射時の本体グリップに対する補助グリップの回転調整範囲を比較的広くすることができる。また、フランジ部材が外形を四隅部を丸く切欠いた矩形に形成されているので、指掛けを行う部分が角張らず滑らかであり、使用者が楽に指を掛けることができると共に、補助グリップを本体グリップに装着して準備された容器兼用注射器を一時的にテーブルや医療用具台に置いたときに、該容器兼用注射器が転がるのを確実に防止することができる。
【００３４】
請求項４に係る容器兼用注射器の補助グリップによれば、基端側より両先端側を幅狭に形成された容器兼用注射器の本体グリップが、フランジ部材間の装着溝に挿入されるので、前記本体グリップと結合部材との当接部間隔を一層大きくすることができ、注射時の本体グリップに対する補助グリップの回転調整範囲を一層広くすることができる。
【図面の簡単な説明】
【図１】本発明の一実施の形態に係る容器兼用注射器の補助グリップを示す正面図である。
【図２】同じく一部を断面で示した側面図である。
【図３】同じく平面図である。
【図４】本発明の一実施の形態に係る補助グリップを装着する容器兼用注射器の側面図である。
【図５】図４のＸ矢視図である。
【符号の説明】
１　容器兼用注射器
２　シリンダ
３　筒先
４　本体グリップ
４ａ　円筒状部
４ｂ　フランジ
５　プランジャーロッド
１０　補助グリップ
１１，１２　フランジ部材
１１ａ，１２ａ　指掛部
１１ｂ　装着穴
１１ｃ，１２ｃ，１４ｂ，１５ａ　開放部
１２ｂ　貫通穴
１３　結合部材
１４　円筒状部材
１４ａ　軸孔
１４ｃ　突縁
１５　装着溝
１６　係止部
【図１】
2004097277.tif 000003
【図２】
2004097277.tif 000004
【図３】
2004097277.tif 000005
【図４】
2004097277.tif 000006
【図５】
2004097277.tif 000007